(57)【要約】【課題】着衣の重ね合せ留めの方法を簡易なものに改良し、手や腕に不自由のある人や幼児が容易に脱ぎ着出来る重ね合せ磁力留め方法と突合せ磁力留め方法の着衣の提供である。さらに前記方式適用のパーツ着脱着衣の提供である。【解決手段】本発明は、既存の前開き型の着衣の重ね合せの留め方であるボタン嵌め方法を改め、磁力の吸引力を利用する容易に着脱できる重ね合せ磁力留めの着衣であり、前開き型の着衣の合せ留め部分に対向して固着する磁性体の間に、磁石留め紐を挟んで重ね合せ留めとする、ハンディのある人も合せ留め部の着脱で容易に脱ぎ着できる着衣の提供である。また、突合せ留め部に対向して縫い付けた磁性布テープの間に磁石留め紐を配置する突合せ磁力留めの着衣も容易に脱ぎ着できるのである。また、既存着衣の分割パーツ同士のコーディネートによる多様のパーツ着脱着衣に前記方法を適用する磁力合せ留め方式の着衣の提供である。【選択図】図１
2019118767.tif 000002
【特許請求の範囲】
【請求項１】
着衣前身頃の二枚の重ね合せ留め部分に所定の間隔位置に対向して磁性体を固着し、その磁性体の半数同形状の単独磁石または半数の磁石を繋いだ重ね合せ磁力留め紐を前記各対向磁性体の間に配置する重ね合せ留めとすることを特徴とする重ね合せ磁力留め方法。
【請求項２】
前開き型の着衣の前身頃の重ね合せ留め部分にあるボタンとボタン穴の位置に対向して磁性体を固着し、その磁性体と半数同形状の単独磁石または半数の磁石をつないだ重ね合せ磁力留め紐を前記各対向磁性体の間に配置する重ね合せ留めとすることを特徴とする重ね合せ磁力留め着衣。
【請求項３】
パーツ着脱着衣のパーツ相互の接続部にまたは前開き部を含めた全接続部に    に重ね合せ磁力留め方法を適用することを特徴とする重合せ磁力留めパーツ着脱着衣。
【請求項４】
磁性体を所定間隔で固着した磁性布テープ2本と重ね合せ磁力留め紐1本またはそれを複数に分割した同留め紐でなることを特徴とする重ね合せ磁力留めセット。
【請求項５】
前記留めセットを含め重ね合せ磁力留め方式による縦長短冊形の複数面材を繋ぐことを特徴とする重ね合せ磁力留めカーテンと幕。
【請求項６】
磁性体務歯を植付けた磁性布テープを、着衣の左右の前身頃の両端辺や他の突き合せ部に対向して縫付け、前記布テープの間に長円状の両面平面の薄磁石を複数繋いだ突合せ磁力留め紐またはそれを複数に分割した同留め紐を配置したことを特徴とする突合せ磁力留め締結方法。
【請求項７】
着衣の留め部にまたは前開き部を含めた全接続部に突合せ磁力留め方法を単独にまたは突合せ磁力留め方法と重ね合せ磁力留め方法の併用を適用することを特徴とする磁力留め着脱着衣。
【請求項８】
着衣のパーツ相互の接続部にまたは前開き部を含めた全接続部に突合せ磁力留め方法と重ね合せ磁力留め方法を併用することを特徴とする磁力留めパーツ着脱着衣。
【請求項９】
磁性務歯または磁性薄片務歯を近接して植え付けた磁性布テープ2本と突合せ磁力留め紐1本または複数に分割した同留め紐でなることを特徴とする突合せ磁力留めセット。
【請求項１０】
前記留めセットを含め突合せ磁力留め方式による縦長短冊形の複数面材を繋ぐことを特徴とする突合せ磁力留めの幕とカーテン。
【発明の詳細な説明】
【技術分野】
【０００１】
本発明は、着衣の重ね合せ留めと突合せ留めの磁力による簡易な締結方法とそれを適用する着衣である。    
【背景技術】
【０００２】
現行の着類の締結、前見頃の合せ留め方はボタンのボタン穴へ嵌め込みが主流であるが、この方法には人により不都合な場合があり、改善が要請されている。
また、突合せ留めのスライド式ファスナーは、スライダーと務歯テープの嵌め合せ操作に難がある。
【先行技術文献】
【特許文献】
【０００３】
【特許文献１】特願２０１３−２２７８２２
【特許文献２】特願２０１７−１０７９８５
【発明の概要】
【発明が解決しようとする課題】
【０００４】
着類の着用に際して、ボタンをボタン穴に嵌め外しする重ね合せ留めの方法は、健常者は不具合は感じないが、老人、病人、幼児には困難を伴いがちであり、また健常者もボタンの嵌め外しを面倒に感じることがあり、より容易にを行える重ね合せ留めや突合せ留めの方法が要請されており、磁力による合せ留め方法を適用した既存着衣とパーツ着脱着衣、さらにカーテンや幕の提供である。
【課題を解決するための手段】
【０００５】
重ね合せ磁力留め方法は、二枚の重ね合せ部分に所定の間隔位置に対向して磁性体を固着し、その磁性体と半数同形状の単独磁石または半数の磁石をつないだ磁石留め紐を前記各対向磁性体の間に挟む重ね合せ留めとする重ね合せ磁力留め方法である。
【０００６】
重ね合せ磁力留め着衣は、前開き型の着衣の重ね合せ留め部にあるボタンとボタン穴の位置に対向して磁性体を固着し、磁石をつないだ磁石留め紐を前記各対向磁性体の間に挟む重ね合せ磁力留めの着衣である。
【０００７】
重ね合せ磁力留めパーツ着脱着衣は、パーツ着脱着衣のパーツ相互の接続部にまたは前開き部を含めた全接続部に重ね合せ磁力留め方法を適用する重ね合せ磁力留めパーツ着脱着衣である。
【０００８】
重ね合せ磁力留めセットは、磁性体を所定間隔で固着した重ね合せ磁力留め紐2本と前記重ね合せ磁力留め紐1本または複数に分割した留め紐でなる重ね合せ磁力留めセットである。
【０００９】
突合せ磁力留め締結方法は、磁性体務歯を植付けた磁性布テープを、着衣の左右の前身頃の両端辺や他の突き合せ部に対向して縫付け、前記布テープの間に長円状の両面平面の薄磁石を複数繋いだ突合せ磁力留め紐またはそれを複数に分割した同留め紐を配置した締結方法である。
【００１０】
磁力留め着脱着衣は、着衣の留め部にまたは前開き部を含めた全接続部に突合せ磁力留め方法を単独にまたは突合せ磁力留め方法と重ね合せ磁力留め方法の併用を適用する着脱着衣である。
【００１１】
磁力留めパーツ着脱着衣は、着衣のパーツ相互の接続部にまたは前開き部を含めた全接続部に突合せ磁力留め方法と重ね合せ磁力留め方法を併用するパーツ着脱着衣。
【００１２】
突合せ磁力留めセットは、磁性務歯または磁性薄片務歯を近接して植え付けた磁性布テープ2本と突合せ磁力留め紐1本または複数に分割した同留め紐でなる留めセット。
【発明の効果】
【００１３】
既存のボタンの嵌め外し方法を、吸引力で接合する磁石と磁性体の合せ外しの磁力留め方法に替えた着衣は、手や腕に支障のある人が容易に着用が出来るのであり、また、複数のパーツを接合をするパーツ着脱着衣も重ね合せ磁力留め方法の採用で多様な形態の着衣を容易に楽しめるのであり、さらに突合せ磁力留め締結方法を適用した着衣もハンディのある人が容易に着用出来るのである。
【発明を実施するための形態】
【００１４】
前記の様に既存の前開き型の着衣の重ね合せ留めは、一方の前身頃のボタンを他方のボタン穴に嵌めることに不便を伴う方法であり、本願発明の、（磁性体を布やプラスチックなどのテープに固定した磁性テープを磁石の吸引力を利用して締結する）両前身頃に固定した磁性体を磁石を介し締結する磁力留め方法は、重ね合せと突合せの二の磁力留め方法があり、また、それらの方法を適用する着衣、カーテン、幕などがあり、これらは単純な構成であり、文言主体に説明する。
【００１５】
磁力留め方式の第一は、重ね合せ磁力留め方法であり、前開き型の着衣の左右の前見頃の重ね合せ留め部分にある各ボタンとボタン穴の位置に対向して各磁性体を固着し、それら磁性体の半数の同形状の磁石、例えば強力なネオジム系磁石を前記各対向磁性体の間に挟み、磁石と磁性体の密な接触による吸引力で重ね合せ留める締結方法（図１）である。
【００１６】
詳しくは、二枚の重ね合せ部分つまり前身頃２にボタンの間隔位置に対向して磁性体３を固着し、それら磁性体と半数同形状の単独磁石または半数の磁石４を伸縮性の紐５で繋いだ重ね合せ磁石留め紐つまりマグネット留め紐６を前記各対向磁性体の間に配置し、各磁石が両側に前記磁性体を吸引接合し前記二枚重ね部を合せ留めにする重ね合せ磁力留め１の方法である。
【００１７】
そして、前記磁石の強さは一定または強弱がありそれらの配置位置に適宜適応させ、重ね合せ部の丈に略等しい前記磁石留め紐の磁石４の間隔は前記磁性体３の配置の間隔より多少大きく、また磁性体と磁石の形状は、例えば前者は糸尻のない平底の円形薄板の浅皿状であり、後者の磁石は、前記磁性体の外径より小さくその深さの二倍以上の厚さであり、両面の外周縁は面取りが施されており、対向する両皿状磁性体の平面の間に収まる前記磁石の両面に接触する磁性体の互いの強い吸引力が、前身頃の重ね合せ留めを成り立たせ、    磁石と磁性体両者のズレによる重ね合せ留めの外れも抑制するのである（図略）。
【００１８】
なお、磁石を着衣に固定しないのは、洗濯や非着用時に磁石同士の吸着を生じ扱い難くなるからである。また前記磁石留め紐つまりマグ留め紐６は、伸縮性の紐を磁石の側面に接着したものであり、長い紐の磁石相互の吸引でからまるので複数に分割してもよい。
【００１９】
この重ね合せ磁力留め方法の適用した重ね合せ磁力留め着衣（図略）は、重ね合せ部の両磁性体の間にマグ留め紐の磁石を挟む、その紐を引くという簡易な操作で、ハンディのある人も合せ留め部を簡易に着衣の脱ぎ着が可能となるのである。
【００２０】
前記の重ね合せ磁力留め着衣は既存の着衣のものであるが、特許文献の特願2013−227822と特願2017−107985に記載のパーツ着脱着衣でもよく、複数の同形で、色彩、模様と材質の異なる同形着衣を各部位ごとのパーツに分解し、それら各部位のパーツ群から形状の異なる各一のパーツを選択し組み合わせ、同形各様の着衣である重ね合せ留めパーツ着脱着衣を成作でき、例として、1着のパーツの数が２あでる2着の組み合わせる場合、2着の前開きのシャツやワンピースの背中縦割りの左右色違いの２パーツの場合、同色で2通り、左右異色で2通り、都合4通りの着用ができ、3着の場合では6通りの異なるコーディネート着衣になり、着用者の好みの発揚となるのである。
【００２１】
これら各様のパーツ着脱着衣のパーツ相互の接続留め部にまたは前開き留め部を含めた全接続留め部に着脱可能な重ね合せ磁力留め方法を適用し、容易な脱ぎ着と着衣の再構成ができる重ね合せ留めパーツ着脱着衣（図略）となるのである。
【００２２】
磁性体を固定した布またはプラスチックのテープを縫合した前身頃に、磁石を介して締結するのもよく、前記各磁性体を所定間隔で固着した薄い磁性重ね合せ布テープつまりマグネット布テープ（図略）2本と前記磁石留め紐つまりマグネット留め紐の1本の磁力合せ留めセット（図略）で、既存着衣やパーツ着脱着衣の合せ留め部分に対向縫合した前記マグ布テープの間にマグ留め紐を配置して、重ね合せ磁力留め着衣や同パーツ着脱着衣を容易に作成できるのである。
【００２３】
また、前記セットを含め重ね合せ磁力留め方式による、縦長短冊形の複数面材を連結する可分離式のカーテンや幕（図略）もよい。この幅広のカーテンの中間の任意の合せ留めを分離して複数の開部分の多様な設定調整が可能である。
【００２４】
磁力留め方法の第二は突合せ磁力留め締結方法であり、既存のファスナーに類似する突合せ締結であり、磁性務歯（むし：噛合う歯）を植付けたマグネット務歯留め布テープ（図略）を衣類の左右の前身頃の両端辺に対向して縫付け、そのマグ布テープの間に磁石突合せ留め紐つまりマグ突合せ留め紐を配置して、磁性締結する方法（図略）である。
【００２５】
詳しくは、既存の務歯類似する前記磁性務歯は、互いに対面するその先端の矩形状平面に磁性平面片が接着してあり、この平面片の横幅より広くその縦幅より複数倍長い長円状かつ両面平坦の薄磁石複数を、布またはプラスチックのテープの穴列に嵌め込み接着しまたは裏表の面に重なりを避けて交互に接着してマグ突合せ留めテープ（図略）とし、このマグテープを前身頃に対向に縫合した前記マグ布テープの間に配置して磁力締結する方法である。なお、前記の突合せ磁石留め方法を、「マグチャッパー」締結方法と名称する。
【００２６】
なお、前記植え付け布テープの磁性務歯に替えて、横幅が縦幅の数倍の長方形の磁性薄片をその中央の平面部の両側を対称にコの字形に折り曲げてテープに植付ける薄片務歯（図略）としてもよく、その薄片務歯の布テープへの植え付けに接着剤の併用もよい。
再記すれば、前記二種の磁性布テープ突合せ締結方法は、対向する磁性務歯の前記平面片が磁石の両平面に吸着し磁性布テープ全長が締結作用を果たすのである。
【００２７】
さらに前記重ね合せ磁力留め方法のセットと同様に、この突合せ磁性締結も二本ペアーのマグ布テープと一本のマグ突合せ留め紐でセット（図略）とし、既存着衣やパーツ着脱着衣の突合せ留め部分に対向縫合した前記のマグ布テープの間にマグ突合せ留め紐を配置し、または前記重ね合せ磁力留めを併用した磁力留めのパーツ着脱着衣を容易に作成できるのである。
【００２８】
なお、前記の重ね合せのマグ合せ留めテープの両端の磁石または分割した複数のマグ留めテープの端部にある磁石のうち二個は強力なものとするか、またはそれら端部に磁石と磁性体を増設し、重ね合せ留めの上端と下端の外れを抑制するため。
また突き合せ留めの場合は、重ね合せ留めと同様の理由で前記同様の位置にあるマグ突き合せ留めテープの磁石を強力なものにする。
また、前記重ね合せ磁力留め方法や突合せ磁石留め方法による、縦長短冊形の複数面材を連結する可分離式の幕やカーテンもよい。
【図面の簡単な説明】
【００２９】
【図１】重ね合せ磁石留め方法の部分縦断面の概略図である。
【符号の説明】
【００３０】
１重ね合せ磁力留めの構成、  ２前身頃、  ３磁性体、  ４磁石、
５紐、  ６重ね合せ用磁石留め紐つまりマグネット留め紐
【図１】
2019118767.tif 000003
【手続補正書】
【提出日】平成30年6月15日(2018.6.15)
【手続補正１】
【補正対象書類名】明細書
【補正対象項目名】全文
【補正方法】変更
【補正の内容】
【発明の詳細な説明】
【技術分野】
【０００１】
本発明は、着衣の重ね合せ留めと突合せ留めの磁力による簡易な締結方法とそれを適用する着衣である。    
【背景技術】
【０００２】
現行の着類の締結、前見頃の合せ留め方はボタンのボタン穴へ嵌め込みが主流であるが、この方法には人により不都合な場合があり、改善が要請されている。
また、突合せ留めのスライド式ファスナーは、スライダーと務歯テープの嵌め合せ操作に難がある。
【先行技術文献】
【特許文献】
【０００３】
【特許文献１】特願２０１３−２２７８２２
【特許文献２】特願２０１７−１０７９８５
【発明の概要】
【発明が解決しようとする課題】
【０００４】
着類の着用に際して、ボタンをボタン穴に嵌め外しする重ね合せ留めの方法は、健常者は不具合は感じないが、老人、病人、幼児には困難を伴いがちであり、また健常者もボタンの嵌め外しを面倒に感じることがあり、より容易にを行える重ね合せ留めや突合せ留めの方法が要請されており、磁力による合せ留め方法を適用した既存着衣とパーツ着脱着衣、さらにカーテンや幕の提供である。
【課題を解決するための手段】
【０００５】
重ね合せ磁力留め方法は、二枚の重ね合せ部分に所定の間隔位置に対向して磁性体を固着し、その磁性体の半数であり、互いに同形状の単独磁石または半数の磁石をつないだ磁石留め紐を前記各対向磁性体の間に挟む重ね合せ留めとする磁力留め方法である。
【０００６】
重ね合せ磁力留め着衣は、前開き型の着衣の重ね合せ留め部にあるボタンとボタン穴の位置に対向して磁性体を固着し、磁石をつないだ磁石留め紐を前記各対向磁性体の間に挟む重ね合せ磁力留めの着衣である。
【０００７】
重ね合せ磁力留めパーツ着脱着衣は、パーツ着脱着衣のパーツ相互の接続部にまたは前開き部を含めた全接続部に重ね合せ磁力留め方法を適用する重ね合せ磁力留めパーツ着脱着衣である。
【０００８】
重ね合せ磁力留めセットは、磁性体を所定間隔で固着した重ね合せ磁力留め紐2本と前記重ね合せ磁力留め紐1本または複数に分割した留め紐でなる重ね合せ磁力留めセットである。
【０００９】
突合せ磁力留め締結方法は、磁性体務歯を植付けた磁性布テープを、着衣の左右の前身頃の両端辺や他の突き合せ部に対向して縫付け、前記布テープの間に長円状の両面平面の薄磁石を複数繋いだ突合せ磁力留め紐またはそれを複数に分割した同留め紐を配置した締結方法である。
【００１０】
磁力留め着脱着衣は、着衣の留め部にまたは前開き部を含めた全接続部に突合せ磁力留め方法を単独にまたは突合せ磁力留め方法と重ね合せ磁力留め方法を併用して適用する着脱着衣である。
【００１１】
磁力留めパーツ着脱着衣は、着衣のパーツ相互の接続部にまたは前開き部を含めた全接続部に突合せ磁力留め方法と重ね合せ磁力留め方法を併用するパーツ着脱着衣である。
【００１２】
突合せ磁力留めセットは、磁性務歯または磁性薄片務歯を近接して植え付けた磁性布テープ2本と突合せ磁力留め紐1本または複数に分割した同留め紐でなる留めセットである。
【発明の効果】
【００１３】
既存のボタンの嵌め外し方法を、吸引力で接合する磁石と磁性体の合せ外しの磁力留め方法に替えた着衣は、手や腕に支障のある人が容易に着用が出来るのであり、また、複数のパーツを接合をするパーツ着脱着衣も重ね合せ磁力留め方法の採用で多様な形態の着衣を容易に楽しめるのであり、さらに突合せ磁力留め締結方法を適用した着衣もハンディのある人が容易に着用出来るのである。なお、磁石を意味するマグネットをマグと省略表記することがある。
【発明を実施するための形態】
【００１４】
前記の様に既存の前開き型の着衣の重ね合せ留めは、一方の前身頃のボタンを他方のボタン穴に嵌めることに不便を伴う方法であり、本願発明の、磁性体を布やプラスチックなどのテープに固定した磁性テープを磁石の吸引力を利用して締結する両前身頃に固定した磁性体を磁石を介し締結する磁力留め方法は、重ね合せと突合せの二の磁力留め方法があり、また、それらの方法を適用する着衣、カーテン、幕などがあり、これらは単純な構成であり、文言主体に説明する。
【００１５】
磁力留め方式の第一は、重ね合せ磁力留め方法であり、前開き型の着衣の左右の前見頃の重ね合せ留め部分にある各ボタンとボタン穴の位置に対向して各磁性体を固着し、それら磁性体の半数で、互いに同形状の磁石、例えば強力なネオジム系磁石を前記各対向磁性体の間に挟み、磁石と磁性体の密な接触による吸引力で重ね合せ留める締結方法（図１）である。
【００１６】
詳しくは、二枚の重ね合せ部分つまり前身頃２にボタンの間隔位置に対向して磁性体３を固着し、それら磁性体の半数であり、互いに同形状の単独磁石４をまたは半数の同形状の磁石４を伸縮性の紐５で繋いだ重ね合せ磁石留め紐つまりマグネット留め紐６を前記各対向磁性体の間に配置し、各磁石が両側に前記磁性体を吸引接合し前記二枚重ね部を合せ留めにする重ね合せ磁力留め１の方法である。
【００１７】
そして、前記磁石の強さは一定または強弱がありそれらの配置位置に適宜適応させ、重ね合せ部の丈に略等しい前記磁石留め紐の磁石４の間隔は前記磁性体３の配置の間隔より多少大きく、また磁性体と磁石の形状は、例えば前者は糸尻のない平底の円形薄板の浅皿状であり、後者の磁石は、前記磁性体の外径より小さくその深さの二倍以上の厚さであり、その外周縁は面取りが施されており、対向する両皿状磁性体の平面の間に収まる前記磁石の両面に接触する磁性体の互いの強い吸引力が、前身頃の重ね合せ留めを成り立たせ、磁石と磁性体両者のズレによる重ね合せ留めの外れも抑制するのである（図略）。
【００１８】
なお、磁石を着衣に固定しないのは、洗濯や非着用時に磁石同士の吸着を生じ扱い難くなるからである。また前記磁石留め紐つまりマグ留め紐６は、伸縮性の紐を磁石の側面に接着したものであり、長い紐の磁石相互の吸引でからまるので複数に分割してもよい。
【００１９】
この重ね合せ磁力留め方法の適用した重ね合せ磁力留め着衣（図略）は、重ね合せ部の両磁性体の間にマグ留め紐の磁石を挟む、その紐を引くという簡易な操作で、ハンディのある人も合せ留め部を簡易に着衣の脱ぎ着が可能となるのである。
【００２０】
前記の重ね合せ磁力留め着衣は既存の着衣のものであるが、特許文献の特願2013−227822と特願2017−107985に記載のパーツ相互の接続留めを紐または各種スナップを介して行うパーツ着脱着衣でもよく、複数の同形で、色彩、模様と材質の異なる同形着衣を各部位ごとのパーツに分解し、それら各部位のパーツ群から形状の異なる各一のパーツを選択し組み合わせ、同形各様の着衣である重ね合せ留めパーツ着脱着衣を成作でき、例として、1着のパーツの数が２である2着の組み合わせる場合、2着の前開きのシャツやワンピースの背中縦割りの左右色違いの２パーツの場合、同色で2通り、左右異色で2通り、都合4通りの着用ができ、3着の場合では6通りの異なるコーディネートした着衣になり、着用者の好みの発揚となるのである。
【００２１】
これら各様のパーツ着脱着衣のパーツ相互の接続留め部にまたは前開き留め部を含めた全接続留め部に着脱可能な重ね合せ磁力留め方法を適用し、容易な脱ぎ着と着衣の再構成ができる重ね合せ留めパーツ着脱着衣（図略）となるのである。
【００２２】
磁性体を固定した布またはプラスチックのテープを縫合した前身頃に、磁石を介して締結するのもよく、前記各磁性体を所定間隔で固着した薄い磁性重ね合せ布テープつまりマグネット布テープ（図略）2本と前記磁石留め紐つまりマグネット留め紐の1本の磁力合せ留めセット（図略）で、既存着衣やパーツ着脱着衣の合せ留め部分に対向縫合した前記マグ布テープの間にマグ留め紐を配置して、重ね合せ磁力留め着衣や同パーツ着脱着衣を容易に作成できるのである。
【００２３】
また、前記セットを含め重ね合せ磁力留め方式による、縦長短冊形の複数面材を連結する可分離式のカーテンや幕（図略）もよい。この幅広のカーテンの中間の任意の合せ留めを分離して複数の開部分の多様な設定調整が可能である。
【００２４】
磁力留め方法の第二は突合せ磁力留め締結方法であり、既存のファスナーに類似する突合せ締結であり、磁性務歯（むし：噛合う歯）を植付けたマグネット務歯留め布テープ（図略）を衣類の左右の前身頃の両端辺に対向して縫付け、そのマグ布テープの間に磁石突合せ留め紐つまりマグ突合せ留め紐を配置して、磁性締結する方法（図略）である。
【００２５】
詳しくは、既存の務歯に類似する前記磁性務歯は、互いに対面するその先端の矩形状平面に磁性平面片が接着してあり、この平面片の横幅より広くその縦幅より複数倍長い長円状かつ両面平坦の薄磁石複数を、布またはプラスチックのテープの穴列に嵌め込み接着しまたは裏表の面に重なりを避けて交互に接着してマグ突合せ留めテープ（図略）とし、このマグテープを前身頃に対向に縫合した前記マグ布テープの間に配置して磁力締結する方法である。なお、前記の突合せ磁石留め方法を、「マグチャッパー」締結方法と名称する。
【００２６】
また、前記植え付け布テープの磁性務歯に替えて、横幅が縦幅の数倍の長方形の磁性薄片をその中央の平面部の両側を対称にコの字形に折り曲げてテープに植付ける薄片務歯（図略）としてもよく、その薄片務歯の布テープへの植え付けに接着剤の併用もよい。
再記すれば、前記二種の磁性布テープ突合せ締結方法は、対向する磁性務歯の前記平面片が磁石の両平面に吸着し磁性布テープ全長が締結作用を果たすのである。
【００２７】
さらに前記重ね合せ磁力留め方法のセットと同様に、この突合せ磁性締結も二本ペアーのマグ布テープと一本のマグ突合せ留め紐でセット（図略）とし、既存着衣やパーツ着脱着衣の突合せ留め部分に対向縫合した前記のマグ布テープの間にマグ突合せ留め紐を配置し、または前記重ね合せ磁力留めを併用した磁力留めのパーツ着脱着衣を容易に作成できるのである。
【００２８】
なお、前記の重ね合せのマグ合せ留めテープの両端の磁石または分割した複数のマグ留めテープの端部にある磁石のうち二個は強力なものとするか、またはそれら端部に磁石と磁性体を増設し、重ね合せ留めの上端と下端の外れを抑制するため。また突き合せ留めの場合は、重ね合せ留めと同様の理由で前記同様の位置にあるマグ突き合せ留めテープの磁石を強力なものにする。また、前記重ね合せ磁力留め方法や突合せ磁石留め方法による、縦長短冊形の複数面材を連結する可分離式の幕やカーテンもよい。
【図面の簡単な説明】
【００２９】
【図１】重ね合せ磁石留め方法の部分縦断面の概略図である。
【符号の説明】
【００３０】
１重ね合せ磁力留めの構成、  ２前身頃、  ３磁性体、  ４磁石、
５紐、  ６重ね合せ用磁石留め紐つまりマグネット留め紐
【手続補正２】
【補正対象書類名】特許請求の範囲
【補正対象項目名】全文
【補正方法】変更
【補正の内容】
【特許請求の範囲】
【請求項１】
着衣前身頃の二枚の重ね合せ留め部分に所定の間隔位置に対向して磁性体を固着し、その磁性体の半数であり、互いに同形状の単独磁石を、または半数の磁石を繋いだ重ね合せ磁力留め紐を、前記各対向磁性体の間に配置する重ね合せ留めとすることを特徴とする重ね合せ磁力留め方法。
【請求項２】
前開き型の着衣の前身頃の重ね合せ留め部分にあるボタンとボタン穴の位置に対向して磁性体を固着し、その磁性体の半数であり、互いに同形状の単独磁石を、または半数の磁石をつないだ重ね合せ磁力留め紐を、前記各対向磁性体の間に配置する重ね合せ留めとすることを特徴とする重ね合せ磁力留め着衣。
【請求項３】
複数の同形で、色彩、模様と材質の異なる同形着衣の各部位ごとのパーツに分解し、それら各部位のパーツ群から形状の異なる各一のパーツを選択し組み合わせが可能なパーツ着脱着衣であって、このパーツ着脱着衣のパーツ相互の接続部にまたは前開き部を含めた全接続部に請求項１に記載の重ね合せ磁力留め方法を適用することを特徴とする重合せ磁力留めパーツ着脱着衣。
【請求項４】
磁性体を所定間隔で固着した磁性布テープ2本と前記磁性布テープに固着した磁性体と同数かつ同形状の単独磁石、または同数同形状の磁石を伸縮性の紐で繋いだ重ね合せ磁力留め紐1本またはそれを複数に分割した同留め紐でなることを特徴とする重ね合せ磁力留めセット。
【請求項５】
請求項４に記載の留めセットを含め請求項１に記載の重ね合せ磁力留め方式による縦長短冊形の複数面材を繋ぐことを特徴とする重ね合せ磁力留めカーテン又は幕。
【請求項６】
磁性務歯を植付けた磁性布テープを、着衣の左右の前身頃の両端辺や他の突き合せ部に対向して縫付け、前記布テープの間に長円状の両面平面の薄磁石を複数繋いだ突合せ磁力留め紐またはそれを複数に分割した同留め紐を配置したことを特徴とする突合せ磁力留め方法。
【請求項７】
着衣の留め部にまたは前開き部を含めた全接続部に、請求項６に記載の突合せ磁力留め方法を単独にまたは突合せ磁力留め方法と請求項１に記載の重ね合せ磁力留め方法を同時に適用することを特徴とする磁力留め着脱着衣。
【請求項８】
着衣のパーツ相互の接続部にまたは前開き部を含めた全接続部に請求項６に記載の突合せ磁力留め方法と請求項１に記載の重ね合せ磁力留め方法を同時に適用ことを特徴とする磁力留めパーツ着脱着衣。
【請求項９】
磁性務歯を近接して植え付けた磁性布テープ2本と突合せ磁力留め紐1本または複数に分割した同留め紐でなることを特徴とする突合せ磁力留めセット。
【請求項１０】
請求項４に記載の（前記）留めセットを含め請求項６に記載の突合せ磁力留め方式による縦長短冊形の複数面材を繋ぐことを特徴とする突合せ磁力留めの幕又はカーテン。